(57)【要約】  １以上の上り制御チャネルリソースを利用したＵＣＩの送信を適切に制御するために、本発明のユーザ端末の一態様は、上りリンク制御情報（ＵＣＩ）を１以上の上り制御チャネルリソースを用いて送信する送信部と、複数の上り制御チャネルリソースに関する情報を含む所定の下り制御情報に基づいて前記ＵＣＩの送信を制御する制御部と、を有する。
2019069464.tif 000002
【特許請求の範囲】
【請求項１】
上りリンク制御情報（ＵＣＩ）を１以上の上り制御チャネルリソースを用いて送信する送信部と、
複数の上り制御チャネルリソースに関する情報を含む所定の下り制御情報に基づいて前記ＵＣＩの送信を制御する制御部と、を有することを特徴とするユーザ端末。
【請求項２】
前記所定の下り制御情報は、前記ＵＣＩの送信に利用する上り制御チャネルリソース数を指定する情報を含むことを特徴とする請求項１に記載のユーザ端末。
【請求項３】
前記所定の下り制御情報の各ビット情報に対応する複数の上り制御チャネルリソースの組み合わせ候補が上位レイヤシグナリングで設定されることを特徴とする請求項１又は請求項２に記載のユーザ端末。
【請求項４】
前記ＵＣＩの送信に利用する第１の上り制御チャネルフォーマットと第２の上り制御チャネルフォーマットにおいて、前記上位レイヤシグナリングで設定される上り制御チャネルリソース数がそれぞれ異なることを特徴とする請求項３に記載のユーザ端末。
【請求項５】
前記制御部は、前記所定の下り制御情報で指定される上り制御チャネルリソース数に基づいて周波数ホッピングの適用有無及び／又は設定される上り制御チャネルのシンボル数を判断することを特徴とする請求項２から請求項４のいずれかに記載のユーザ端末。
【請求項６】
上りリンク制御情報（ＵＣＩ）を１以上の上り制御チャネルリソースを用いて送信する工程と、
複数の上り制御チャネルリソースに関する情報を含む所定の下り制御情報に基づいて前記ＵＣＩの送信を制御する工程と、を有することを特徴とするユーザ端末の無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future  Radio  Access）、４Ｇ、５Ｇ、５Ｇ＋（plus）、ＮＲ（New  RAT）、ＬＴＥ  Ｒｅｌ．１４、１５〜、などともいう）も検討されている。【０００３】
既存のＬＴＥシステム（例えば、ＬＴＥ  Ｒｅｌ．８−１３）では、１ｍｓのサブフレーム（伝送時間間隔（ＴＴＩ：Transmission  Time  Interval）等ともいう）を用いて、下りリンク（ＤＬ：Downlink）及び／又は上りリンク（ＵＬ：Uplink）の通信が行われる。当該サブフレームは、チャネル符号化された１データパケットの送信時間単位であり、スケジューリング、リンクアダプテーション、再送制御（ＨＡＲＱ：Hybrid  Automatic  Repeat  reQuest）などの処理単位となる。【０００４】
また、既存のＬＴＥシステム（例えば、ＬＴＥ  Ｒｅｌ．８−１３）では、ユーザ端末は、ＵＬ制御チャネル（例えば、ＰＵＣＣＨ：Physical  Uplink  Control  Channel）又はＵＬデータチャネル（例えば、ＰＵＳＣＨ：Physical  Uplink  Shared  Channel）を用いて、上りリンク制御情報（ＵＣＩ：Uplink  Control  Information）を送信する。当該ＵＬ制御チャネルの構成（フォーマット）は、ＰＵＣＣＨフォーマット等と呼ばれる。【０００５】
ＵＣＩは、スケジューリング要求（ＳＲ：Scheduling  Request）、ＤＬデータ（ＤＬデータチャネル（例えば、ＰＤＳＣＨ：Physical  Downlink  Shared  Channel））に対する再送制御情報（ＨＡＲＱ−ＡＣＫ：Hybrid  Automatic  Repeat  reQuest−Acknowledge、ＡＣＫ又はＮＡＣＫ（Negative  ＡＣＫ））、チャネル状態情報（ＣＳＩ：Channel  State  Information）の少なくとも一つを含む。
【先行技術文献】
【非特許文献】
【０００６】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００７】
将来の無線通信システム（例えば、ＬＴＥ  Ｒｅｌ．１４、１５〜、５Ｇ、ＮＲなど）では、既存のＬＴＥシステム（例えば、ＬＴＥ  Ｒｅｌ．１３以前）とは異なる構成（フォーマット）のＵＬ制御チャネルを用いて、ＵＣＩを送信することが想定される。【０００８】
例えば、既存のＬＴＥシステムで利用されるＰＵＣＣＨフォーマットは、１ｍｓのサブフレーム単位で構成される。一方、将来の無線通信システムでは、既存のＬＴＥシステムよりも短い期間（short  duration）のＵＬ制御チャネル（以下、ショートＰＵＣＣＨともいう）をサポートすることが検討されている。また、当該ショートＰＵＣＣＨよりの長い期間の（long  duration）のＵＬ制御チャネル（以下、ロングＰＵＣＣＨともいう）をサポートすることも検討されている。【０００９】
また、複数のＵＬ制御チャネル（例えば、ショートＰＵＣＣＨ及び／又はロングＰＵＣＣＨなど）において１以上の上り制御チャネルリソースを利用してＵＣＩの送信を制御することも想定される。この場合、複数の上り制御チャネルリソースをどのように設定又は通知するかが問題となる。【００１０】
本発明はかかる点に鑑みてなされたものであり、１以上の上り制御チャネルリソースを利用したＵＣＩの送信を適切に制御可能なユーザ端末及び無線通信方法を提供することを目的の一つとする。
【課題を解決するための手段】
【００１１】
本発明のユーザ端末の一態様は、上りリンク制御情報（ＵＣＩ）を１以上の上り制御チャネルリソースを用いて送信する送信部と、複数の上り制御チャネルリソースに関する情報を含む所定の下り制御情報に基づいて前記ＵＣＩの送信を制御する制御部と、を有することを特徴とする。
【発明の効果】
【００１２】
本発明によれば、１以上の上り制御チャネルリソースを利用したＵＣＩの送信を適切に制御できる。
【図面の簡単な説明】
【００１３】
【図１】図１Ａ及び１Ｂは、ショートＰＵＣＣＨとロングＰＵＣＣＨの一例を示す図である。
【図２】将来の無線通信システムにおけるＰＵＣＣＨフォーマットの一例を示す図である。
【図３】ショートＰＵＣＣＨにおけるＰＵＣＣＨリソースの割当ての一例を示す図である。
【図４】ショートＰＵＣＣＨにおけるＰＵＣＣＨリソースの割当ての他の例を示す図である。
【図５】ロングＰＵＣＣＨにおけるＰＵＣＣＨリソースの割当ての一例を示す図である。
【図６】複数のＰＵＣＣＨリソースの組み合わせ候補が規定されたテーブルの一例を示す図である。
【図７】複数のＰＵＣＣＨリソースの組み合わせ候補が規定されたテーブルの一例を示す図である。
【図８】複数のＰＵＣＣＨリソースの組み合わせ候補が規定されたテーブルの一例を示す図である。
【図９】複数のＰＵＣＣＨリソースの組み合わせ候補が規定されたテーブルの一例を示す図である。
【図１０】本実施の形態に係る無線通信システムの概略構成の一例を示す図である。
【図１１】本実施の形態に係る無線基地局の全体構成の一例を示す図である。
【図１２】本実施の形態に係る無線基地局の機能構成の一例を示す図である。
【図１３】本実施の形態に係るユーザ端末の全体構成の一例を示す図である。
【図１４】本実施の形態に係るユーザ端末の機能構成の一例を示す図である。
【図１５】本実施の形態に係る無線基地局及びユーザ端末のハードウェア構成の一例を示す図である。
【発明を実施するための形態】
【００１４】
将来の無線通信システム（例えば、ＬＴＥ  Ｒｅｌ．１５〜、５Ｇ、ＮＲなど）では、ＵＣＩの送信に用いられるＵＬ制御チャネル（例えば、ＰＵＣＣＨ）用の構成（フォーマット、ＰＵＣＣＨフォーマット等ともいう）が検討されている。
【００１５】
図１は、将来の無線通信システムにおけるＰＵＣＣＨの一例を示す図である。図１Ａでは、相対的に少ないシンボル数（期間（duration）、例えば、１〜２シンボル）で構成されるＰＵＣＣＨ（ショートＰＵＣＣＨ）が示される。図１Ｂでは、ショートＰＵＣＣＨよりも多いシンボル数（期間、例えば、４〜１４シンボル）で構成されるＰＵＣＣＨ（ロングＰＵＣＣＨ）が示される。
【００１６】
図１Ａに示すように、ショートＰＵＣＣＨは、スロットの最後から所定数のシンボル（例えば、１〜２シンボル）に配置されてもよい。なお、ショートＰＵＣＣＨの配置シンボルは、スロットの最後に限られず、スロットの最初又は途中の所定数のシンボルであってもよい。また、ショートＰＵＣＣＨは、一以上の周波数リソース（例えば、一以上の物理リソースブロック（ＰＲＢ：Physical  Resource  Block））に配置される。なお、図１Ａでは、連続するＰＲＢにショートＰＵＣＣＨが配置されるものとするが、非連続のＰＲＢに配置されてもよい。
【００１７】
また、ショートＰＵＣＣＨは、スロット内でＵＬデータチャネル（以下、ＰＵＳＣＨともいう）と時分割多重及び／又は周波数分割多重されてもよい。また、ショートＰＵＣＣＨは、スロット内でＤＬデータチャネル（以下、ＰＤＳＣＨともいう）及び／又はＤＬ制御チャネル（以下、ＰＤＣＣＨ：Physical  Downlink  Control  Channelともいう）と時分割多重及び／又は周波数分割多重されてもよい。
【００１８】
ショートＰＵＣＣＨでは、マルチキャリア波形（例えば、ＯＦＤＭ（Orthogonal  Frequency  Division  Multiplexing）波形）が用いられてもよいし、シングルキャリア波形（例えば、ＤＦＴ−ｓ−ＯＦＤＭ（Discrete  Fourier  Transform−Spread−Orthogonal  Frequency  Division  Multiplexing）波形）が用いられてもよい。
【００１９】
一方、図１Ｂに示すように、ロングＰＵＣＣＨは、ショートＰＵＣＣＨよりも多い数のシンボル（例えば、４〜１４シンボル）に渡って配置される。図１Ｂでは、当該ロングＰＵＣＣＨが、スロットの最初の所定数のシンボルには配置されないが、当該最初の所定数のシンボルに配置されてもよい。
【００２０】
図１Ｂに示すように、ロングＰＵＣＣＨは、パワーブースティング効果を得るため、ショートＰＵＣＣＨよりも少ない数の周波数リソース（例えば、１又は２つのＰＲＢ）で構成されてもよいし、又は、ショートＰＵＣＣＨと等しい数の周波数リソースで構成されてもよい。
【００２１】
また、ロングＰＵＣＣＨは、スロット内でＰＵＳＣＨと周波数分割多重されてもよい。また、ロングＰＵＣＣＨは、スロット内でＰＤＣＣＨと時分割多重されてもよい。また、ロングＰＵＣＣＨは、ショートＰＵＣＣＨと同一のスロット内に配置されてもよい。ロングＰＵＣＣＨでは、シングルキャリア波形（例えば、ＤＦＴ−ｓ−ＯＦＤＭ波形）が用いられてもよいし、マルチキャリア波形（例えば、ＯＦＤＭ波形）が用いられてもよい。
【００２２】
また、図１Ｂに示すように、ロングＰＵＣＣＨでは、スロット内の所定期間（例えば、ミニ（サブ）スロット）毎に周波数ホッピングが適用されてもよい。当該周波数ホッピングは、周波数ホッピングの前後で送信するシンボル数が等しくなるタイミング（例えば、スロット当たり１４シンボルの場合、７シンボル）で行ってもよいし、前後のシンボル数が不均一となるタイミング（例えば、スロット当たり１４シンボルの場合、前半は６シンボル、後半は８シンボルなど）で行ってもよい。
【００２３】
図２は、将来の無線通信システムにおけるＰＵＣＣＨフォーマットの一例を示す図である。図２では、ＰＵＣＣＨを構成するシンボル数及び／又はＰＵＣＣＨを用いて送信されるＵＣＩのビット数が異なる複数のＰＵＣＣＨフォーマットが示される。なお、図２に示すＰＵＣＣＨフォーマットは例示にすぎず、ＰＵＣＣＨフォーマット０〜４の内容は図２に示すものに限られない。
【００２４】
例えば、図２において、ＰＵＣＣＨフォーマット０は、２ビット以下（up  to  2  bits）のＵＣＩ用のショートＰＵＣＣＨ（例えば、図１Ａ）であり、シーケンスベース（sequence-based）ショートＰＵＣＣＨ等とも呼ばれる。当該ショートＰＵＣＣＨは、１又は２シンボルで２ビット以下のＵＣＩ（例えば、ＨＡＲＱ−ＡＣＫ及び／又はＳＲ）を伝送（convey）する。
【００２５】
ＰＵＣＣＨフォーマット１は、２ビット以下のＵＣＩ用のロングＰＵＣＣＨ（例えば、図１Ｂ）である。当該ロングＰＵＣＣＨは、４〜１４シンボルで２ビット以下のＵＣＩを伝送する。ＰＵＣＣＨフォーマット１では、複数のユーザ端末が、例えば、巡回シフト（ＣＳ）及び／又は直交拡散符号（ＯＣＣ：Orthogonal  Cover  Code）を用いた時間領域（time-domain）のブロック拡散（block-wise  spreading）により、同一のＰＲＢ内で符号分割多重（ＣＤＭ）されてもよい。
【００２６】
ＰＵＣＣＨフォーマット２は、２ビットを超える（more  than  2  bits）ＵＣＩ用のショートＰＵＣＣＨ（例えば、図１Ａ）である。当該ショートＰＵＣＣＨは、１又は２シンボルで２ビットを超えるＵＣＩを伝送する。
【００２７】
ＰＵＣＣＨフォーマット３は、２ビットを超えるＵＣＩ用ロングＰＵＣＣＨ（例えば、図１Ｂ）であり、同一ＰＲＢ内で複数のユーザ端末が多重され得る。当該ロングＰＵＣＣＨは、４〜１４シンボルで２ビットを超え、Ｎビットより小さい（又はＮビット以下の）ＵＣＩを伝送する。ＰＵＣＣＨフォーマット３では、複数のユーザ端末が、ＣＳ及び／又はＯＣＣを用いた時間領域のブロック拡散により、同一ＰＲＢ内で符号分割多重されてもよい。或いは、複数のユーザ端末が、離散フーリエ変換（ＤＦＴ）前の（周波数領域）のブロック拡散、周波数分割多重（ＦＤＭ）、櫛の歯状のサブキャリア（Comb）の少なくとも一つを用いて多重されてもよい。
【００２８】
なお、ＵＣＩのビット数の閾値Ｎは、３より大きい（又は３以上の）整数であればよく、仕様で定められてもよいし、上位レイヤシグナリング（例えば、ＲＲＣ（Radio  Resource  Control）シグナリング、ブロードキャスト情報（例えば、ＭＩＢ：Master  Information  Block）、システム情報（例えば、ＳＩＢ：System  Information  Block、ＲＭＳＩ：Remaining  Minimum  System  Informationなど）の少なくとも一つ）により設定されてもよい。
【００２９】
ＰＵＣＣＨフォーマット４は、２ビットを超えるＵＣＩ用のロングＰＵＣＣＨ（例えば、図１Ｂ）であり、同一ＰＲＢ内で単一のユーザ端末が多重される。当該ロングＰＵＣＣＨは、Ｎビットより大きい（又はＮビット以上の）ＵＣＩを伝送する。ＰＵＣＣＨフォーマット４では、複数のユーザ端末が同一ＰＲＢ内に多重されない点で、ＰＵＣＣＨフォーマット３と異なる。
【００３０】
このように、将来の無線通信システムでは、送信するＵＣＩのビット数等に基づいて複数のＰＵＣＣＨフォーマット（ショートＰＵＣＣＨ又はロングＰＵＣＣＨ）を適用してＵＣＩの送信を行うことが想定されている。
【００３１】
また、ＰＵＣＣＨを利用してＵＣＩの送信を行う場合、ＵＥはＵＣＩを所定の上り制御チャネルのリソース（ＰＵＣＣＨリソースとも呼ぶ）に割当てて送信を行う。ＰＵＣＣＨリソースは、時間領域、周波数領域及び符号領域の少なくとも一つで特定されるリソースを指す。ＰＵＣＣＨ送信に符号を利用しない場合には、周波数領域及び／又は時間領域でＰＵＣＣＨリソースを特定することができる。もちろん、ＰＵＣＣＨリソースを指定する情報として他の情報を追加してもよい。
【００３２】
ＰＵＣＣＨリソースの周波数領域は、所定のリソース単位（例えば、ＰＲＢ単位）で設定される。ＰＵＣＣＨリソースの時間領域は、例えばスロットに含まれるシンボル単位、又はスロットとシンボル単位で設定される。基地局は、ＰＲＢとシンボルの組み合わせ、又はＰＲＢとシンボルと符号情報の組み合わせをＰＵＣＣＨリソースとしてＵＥに指定してもよい。
【００３３】
ショートＰＵＣＣＨ（例えば、ＰＵＣＣＨフォーマット０）が２シンボルで設定される場合、各シンボルにそれぞれ割当てられるＰＵＣＣＨリソースを利用してＵＣＩの送信を行うことが考えられる（図３参照）。図３では、２シンボルのうち１シンボル目にＰＵＣＣＨリソース＃０を設け、２シンボル目にＰＵＣＣＨリソース＃１を設ける場合を示している。この場合、ＵＥは複数（例えば、２個）のＰＵＣＣＨリソースを利用してＵＣＩの送信を行うことができる。なお、各シンボルのＰＵＣＣＨリソースは、１ＰＲＢに限られず複数ＰＲＢで設定されてもよい。
【００３４】
また、ＰＵＣＣＨフォーマット０より多くのビット数の送信に利用される他のショートＰＵＣＣＨ（例えば、ＰＵＣＣＨフォーマット２）では、より多くのＰＲＢを利用してＵＣＩの送信を行うことが考えられる。例えば、ショートＰＵＣＣＨが１又は２シンボルで設定される場合、各シンボルにおいて連続又は非連続の複数ＰＲＢをＰＵＣＣＨリソースとして設定することが考えられる（図４参照）。
【００３５】
図４では、１シンボルで設定されるショートＰＵＣＣＨにおいて非連続の４個のＰＲＢを利用してＰＵＣＣＨリソース（ここでは、ＰＵＣＣＨリソース＃０−＃３）が設定される場合を示している。各ＰＵＣＣＨリソースは、１ＰＲＢに限られず複数ＰＲＢで設定されてもよい。この場合、各ＰＵＣＣＨリソースを構成するＰＲＢは、連続する複数ＰＲＢ又は非連続のＰＲＢを含む構成としてもよい。このように、ＰＵＣＣＨフォーマット２を利用する場合、ＵＥは所定シンボルの複数ＰＲＢにそれぞれ設定される複数ＰＵＣＣＨリソースを利用してＵＣＩの送信を行うことが考えられる。
【００３６】
また、ロングＰＵＣＣＨ（例えば、ＰＵＣＣＨフォーマット１、３、４）では、既存システムのＰＵＣＣＨと同様に、周波数方向にホッピングされるＰＵＣＣＨリソースを利用してＵＣＩの送信を行うことが考えられる（図１Ｂ参照）。
【００３７】
既存のＬＴＥシステムでは、ＵＥに設定されるシステム帯域が共通であったため、ＰＵＣＣＨがシステム帯域の両端に配置されるように周波数ホッピングを適用している。一方で、将来の無線通信システムでは、全てのＵＥが共通のシステムバンドを利用して通信を行うのではなく、ＵＥ毎に通信に利用する周波数領域が個別に設定されることが検討されている。例えば、ＵＬにおいて、高い性能を有するＵＥに相対的に広い第１の周波数帯域（ＢＷＰ：Bandwidth  part）が設定され、性能が高くないＵＥに第１のＢＷＰより狭い第２のＢＷＰが設定されることが考えられる。
【００３８】
そのため、既存システムと同様に周波数ホッピングを適用と、ＵＥ毎に設定された周波数帯域の端部にＰＵＣＣＨが配置されることになる。この場合、周波数帯域が異なるＵＥが多くなるにつれてシステム帯域の複数領域にＰＵＣＣＨが配置され、リソースの利用効率が低下するおそれがある。
【００３９】
各ＵＥのＰＵＣＣＨを柔軟に設定してリソースの利用効率を向上する観点からは、ＰＵＣＣＨの設定領域を必ずしも周波数帯域の端部に限定せずに柔軟に制御することが想定される。そのため、ロングＰＵＣＣＨを利用する場合にも、周波数ホッピング前後で複数のＰＵＣＣＨリソース（例えば、２個）を基地局が指定してＵＣＩの送信を制御することが想定される（図５参照）。図５では、周波数ホッピングの前半と後半にそれぞれＰＵＣＣＨリソース＃０、＃１が設定される場合を示している。
【００４０】
このように、将来の無線通信システムでは、各ＰＵＣＣＨフォーマットを適用する場合に、複数のＰＵＣＣＨリソースを用いてＵＣＩの送信を行うケースが考えられる。この場合、ＵＥは設定されるＰＵＣＣＨリソースを判断してＵＣＩ送信を制御することが必要となるが、複数のＰＵＣＣＨリソースをどのようにＵＥに設定及び／又は通知するかが問題となる。
【００４１】
本発明者らは、複数のＰＵＣＣＨリソースが設定される場合に当該複数のＰＵＣＣＨリソースは複数のＰＲＢの組み合わせで定義できる点に着目し、複数のＰＵＣＣＨリソースに関する情報をまとめて（例えば、１つのＤＬ信号を利用して）ＵＥに通知することで通知ビット数の増加を抑制できることを着想した。例えば、本実施の形態の一態様は、下り制御情報及び／又は上位レイヤシグナリングを利用して、ＵＣＩ送信に利用する複数のＰＵＣＣＨリソースの組み合わせ（セット）をＵＥに設定及び／又は通知する。
【００４２】
以下、本実施の形態について詳細に説明する。各実施の態様で示す構成は、それぞれ単独で適用されてもよいし、組み合わせて適用されてもよい。なお、本実施の形態において、ＵＣＩは、スケジューリング要求（ＳＲ：Scheduling  Request）、ＤＬデータチャネル（例えば、ＰＤＳＣＨ：Physical  Downlink  Shared  Channel）に対する送達確認情報（ＨＡＲＱ−ＡＣＫ：Hybrid  Automatic  Repeat  reQuest−Acknowledge、ＡＣＫ又はＮＡＣＫ（Negative  ＡＣＫ）又はＡ／Ｎ等ともいう）、チャネル品質情報（ＣＱＩ：Channel  Quality  Indicator）、ランク情報（ＲＩ：Rank  Indicator）を含むチャネル状態情報（ＣＳＩ：Channel  State  Information）、ビームインデックス情報（ＢＩ：Beam  Index）、バッファステータスレポート（ＢＳＲ：Buffer  Status  Report）の少なくとも一つを含んでもよい。
【００４３】
（第１の態様）
第１の態様は、所定ビット（例えば、２ビット）を超えるＵＣＩの送信に利用するショートＰＵＣＣＨにおいて、所定ＤＣＩで複数のＰＵＣＣＨリソースをＵＥに通知する。以下の説明では、ショートＰＵＣＣＨとしてＰＵＣＣＨフォーマット２を想定するが、適用可能なＰＵＣＣＨフォーマットはこれに限られない。
【００４４】
基地局は、ＰＵＣＣＨに設定される複数のＰＵＣＣＨリソースに関する情報をＤＣＩに含めてＵＥに通知する。例えば、基地局は、所定のＰＲＢ（例えば、ＰＲＢインデックス）とシンボル（シンボル番号）の組み合わせ情報をＰＵＣＣＨリソースとしてＵＥに通知する。図４に示すように、所定シンボルにおいて４個のＰＲＢを利用して複数のＰＵＣＣＨリソースを設定する場合、基地局は所定シンボルと各ＰＲＢのインデックスの組み合わせを含む情報（パラメータセット）をＵＥに通知する。
【００４５】
ＵＥは、所定ＤＣＩ（例えば、１つのＤＣＩ）で複数のＰＵＣＣＨリソースが通知されると想定する。そして、ＵＥは、受信したＤＣＩのビット情報に基づいて複数のＰＵＣＣＨリソースを選択し、当該複数のＰＵＣＣＨを利用してＵＣＩの送信を行う。複数のＰＵＣＣＨリソース数を設定してＵＣＩの送信を行うことにより、ＵＣＩの符号化率を下げることができる。その結果、符号化利得が得られるためＵＣＩの誤り率を改善することができる。
【００４６】
基地局は、複数のＰＵＣＣＨリソースの組み合わせ候補（又は、複数のＰＵＣＣＨリソースセット候補）を予めＵＥに設定してもよい。例えば、基地局は、上位レイヤシグナリングを利用して、ＤＣＩの各ビット情報に対応する複数のＰＵＣＣＨリソースの組み合わせ候補を設定してもよい（図６参照）。
【００４７】
図６は、ＤＣＩで通知される各ビット情報（ここでは、００、０１、１０、１１）に対して、複数のＰＵＣＣＨリソース候補がそれぞれ上位レイヤシグナリングで設定されるテーブルの一例を示している。なお、図６は、ＤＣＩが２ビットの場合を示しているが、ＤＣＩのビット数はこれに限られない。また、図６では、最大４種類のＰＵＣＣＨリソース（＃０−＃３）を設定する場合を示しているが、設定可能なＰＵＣＣＨリソース数はこれに限られない。
【００４８】
各ＰＵＣＣＨリソースでは、所定のパラメータセットが規定される。例えば、図６では、ＰＵＣＣＨリソース＃０に対して、ＤＣＩの各ビット情報にパラメータセットＡ０−Ａ３がそれぞれ設定される場合を示している。パラメータセットＡ０−Ａ３の一部又は全部は同一であってもよいし、異なっていてもよい。また、いずれかのパラメータセット（例えば、Ａ０）を基準値とし、他のパラメータセット（Ａ１−Ａ３）を当該基準値からのオフセットで規定してもよい。
【００４９】
また、ＰＵＣＣＨリソース＃１に対してＤＣＩの各ビット情報にパラメータセットＢ０−Ｂ３がそれぞれ設定される。同様に、ＰＵＣＣＨリソース＃２に対してＤＣＩの各ビット情報にパラメータセットＣ０−Ｃ３がそれぞれ設定され、ＰＵＣＣＨリソース＃３に対してＤＣＩの各ビット情報にパラメータセットＤ０−Ｄ３がそれぞれ設定される。
【００５０】
パラメータセットＢ０−Ｂ３（又は、Ｃ０−Ｃ３、Ｄ０−Ｄ３）は、パラメータセットＡ０−Ａ３と異なる値（例えば、異なるＰＲＢ及び／又はシンボル）で設定される。なお、パラメータセットＢ０−Ｂ３（又は、Ｃ０−Ｃ３、Ｄ０−Ｄ３）は、パラメータセットＡ０−Ａ３からのオフセットで規定してもよい。
【００５１】
パラメータセットは、ＰＵＣＣＨフォーマットに関する情報、周波数領域に関する情報（例えば、ＰＲＢインデックス）、時間領域に関する情報（例えば、シンボルインデックス）、及び符号に関する情報の少なくとも一つを含んでいればよい。また、その他の情報を含んでいてもよい。ＰＵＣＣＨフォーマット毎にテーブルが定義される場合にはパラメータセットにＰＵＣＣＨフォーマットに関する情報は含めない構成としてもよい。
【００５２】
また、基地局は、実際に設定されるＰＵＣＣＨリソース数に関する情報をＵＥに通知してもよい。例えば、基地局は、ＰＵＣＣＨリソース数に関する情報をＤＣＩに含めてＵＥに通知する。この場合、ＰＵＣＣＨリソース数を指定するＤＣＩのビット情報は、複数のＰＵＣＣＨリソースを指定するビット情報とは別のビットフィールドに含まれる構成としてもよい。ＰＵＣＣＨリソース数をＤＣＩで別途通知することにより、実際にＵＣＩ送信に利用するＰＵＣＣＨリソース数を動的（ダイナミック）に変更することができる。
【００５３】
あるいは、ＰＵＣＣＨリソース数を指定するＤＣＩのビット情報を、複数のＰＵＣＣＨリソースの組み合わせを指定するＤＣＩのビット情報に含めてＵＥに通知してもよい。例えば、ＰＵＣＣＨリソース数に関する情報についても上位レイヤシグナリングで準静的（セミスタティック）にテーブルに設定してもよい（図７参照）。
【００５４】
図７では、ＤＣＩの各ビット情報に対してそれぞれｎ１−ｎ４を設定する場合を示している。なお、ｎ１−ｎ４の一部又は全部は同じでもよいし、異なっていてもよい。これにより、ＤＣＩのビット数を増やすことなくＰＵＣＣＨリソース数を動的に切り替えることができる。
【００５５】
なお、ＵＣＩ送信に利用するＰＵＣＣＨリソース数を直接ＵＥに通知（又は、テーブルに規定）してもよいし、特定のＰＵＣＣＨリソースを示す情報をＵＥに通知（又は、テーブルに規定）してもよい。ＵＥは、ＰＵＣＣＨリソース数が指定された場合、インデックスが小さいＰＵＣＣＨリソースから順に選択してもよい。例えば、指定されるＰＵＣＣＨリソース数が２の場合、ＵＥは、ＰＵＣＣＨリソース＃０と＃１を利用してＵＣＩの送信を制御する。
【００５６】
このように、所定ＤＣＩ（例えば、１つのＤＣＩ）を利用して複数のリソースセットの組み合わせ候補をＵＥに通知することにより、ＰＵＣＣＨリソース通知に利用するビット数の増大を抑制できる。また、あるＵＬ送信期間（例えば、スロット）のＵＣＩ送信用に利用するＰＵＣＣＨリソース数をＵＥに通知することにより、ＰＵＣＣＨリソース数を柔軟に変更して制御することができる。特に、複数のＰＵＣＣＨリソースの組み合わせ候補が設定されている場合でも、通知されたＰＵＣＣＨリソース数に基づいてＵＣＩの送信を制御することによりＰＵＣＣＨリソースの利用効率を向上できる。
【００５７】
（第２の態様）
第２の態様は、所定ビット（例えば、２ビット）までのＵＣＩの送信に利用するショートＰＵＣＣＨにおいて、所定ＤＣＩで複数のＰＵＣＣＨリソースをＵＥに通知する。以下の説明では、ショートＰＵＣＣＨとしてＰＵＣＣＨフォーマット０を想定するが、適用可能なＰＵＣＣＨフォーマットはこれに限られない。
【００５８】
基地局は、ＵＣＩ送信に利用する複数のＰＵＣＣＨリソースに関する情報をＤＣＩに含めてＵＥに通知する。例えば、基地局は、所定のＰＲＢとシンボルの組み合わせをＰＵＣＣＨリソースとしてＵＥに通知する。図３に示すように、２シンボルにわたって設定されるショートＰＵＣＣＨに２個のＰＵＣＣＨリソース＃０、＃１が設定される場合、基地局はＰＵＣＣＨリソース＃０、＃１に対応する所定シンボルと各ＰＲＢのインデックスをＵＥに通知する。
【００５９】
ＵＥは、所定ＤＣＩ（例えば、１つのＤＣＩ）で複数のＰＵＣＣＨリソース（例えば、１シンボル目のＰＵＣＣＨリソース＃０及び／又は２シンボル目のＰＵＣＣＨリソース＃１）が通知されると想定する。そして、ＵＥは、受信したＤＣＩのビット情報に基づいて複数のＰＵＣＣＨリソースを選択して当該複数のＰＵＣＣＨを利用してＵＣＩの送信を行う。
【００６０】
基地局は、複数のＰＵＣＣＨリソースの組み合わせ候補を予めＵＥに設定してもよい。例えば、基地局は、上位レイヤシグナリングを利用して、ＤＣＩの各ビット情報に対応する複数のＰＵＣＣＨリソースの組み合わせ候補を設定してもよい（図８参照）。
【００６１】
図８は、ＤＣＩで通知される各ビット情報に対して、複数のＰＵＣＣＨリソース候補（ここでは、ＰＵＣＣＨリソース＃０、＃１）がそれぞれ上位レイヤシグナリングで設定される場合のテーブルの一例を示している。なお、図８は、ＤＣＩが２ビットの場合を示しているが、ＤＣＩのビット数はこれに限られない。また、図８では、最大２種類のＰＵＣＣＨリソース（＃０−＃１）を設定する場合を示しているが、設定可能なＰＵＣＣＨリソース数はこれに限られない。
【００６２】
各ＰＵＣＣＨリソースにおいて、所定のパラメータセットを設定してもよい。例えば、図８では、ＰＵＣＣＨリソース＃０に対して、ＤＣＩの各ビット情報にパラメータセットＡ０−Ａ３がそれぞれ設定される場合を示している。パラメータセットＡ０−Ａ３の一部又は全部は同一であってもよいし、異なっていてもよい。また、いずれかのパラメータセット（例えば、Ａ０）を基準値とし、他のパラメータセットを当該基準値からのオフセットで規定してもよい。
【００６３】
同様に、ＰＵＣＣＨリソース＃１に対してＤＣＩの各ビット情報にパラメータセットＢ０−Ｂ３をそれぞれ設定してもよい。パラメータセットＢ０−Ｂ３は、パラメータセットＡ０−Ａ３と異なる値（例えば、異なるＰＲＢ、シンボル及び符号情報の少なくとも一つ）で設定できる。また、パラメータセットＢ０−Ｂ３は、パラメータセットＡ０−Ａ３からのオフセットで規定してもよい。
【００６４】
パラメータセットは、ＰＵＣＣＨフォーマットに関する情報、周波数領域に関する情報（例えば、ＰＲＢインデックス）、時間領域に関する情報（例えば、シンボルインデックス）、及び符号（例えば、サイクリックシフト）に関する情報の少なくとも一つを含んでいればよい。ＰＵＣＣＨフォーマット毎にテーブルが定義される場合にはパラメータセットにＰＵＣＣＨフォーマットに関する情報は含めない構成としてもよい。
【００６５】
また、基地局は実際に設定されるＰＵＣＣＨリソース数に関する情報をＵＥに設定（又は、通知）してもよい。例えば、基地局は、ＰＵＣＣＨリソース数に関する情報をＤＣＩに含めてＵＥに通知してもよい。テーブルに設定されるＰＵＣＣＨリソース数が２個の場合、どのＰＵＣＣＨリソースを有効にするか、あるいは無効にするかについてＤＣＩを利用して通知してもよい。
【００６６】
例えば、１ビットのＤＣＩを利用してＰＵＣＣＨリソースの設定有無をＵＥに通知する。ＵＥは、当該ＤＣＩのビット情報が‘０’の場合にＰＵＣＣＨリソース＃０と＃１が設定されたと想定する。また、ＵＥは、当該ＤＣＩのビット情報が‘１’の場合に一方のＰＵＣＣＨリソース（例えば、ＰＵＣＣＨリソース＃０）が設定され、他方のＰＵＣＣＨリソースが設定されないと想定する。
【００６７】
実際に利用するＰＵＣＣＨリソース数をＤＣＩで通知することにより、ＵＣＩ送信に利用するＰＵＣＣＨリソース数（又は、ＰＵＣＣＨのシンボル数）を動的に切り替えることができる。
【００６８】
あるいは、ＰＵＣＣＨリソース数を指定するＤＣＩのビット情報を、複数のＰＵＣＣＨリソースの組み合わせを指定するＤＣＩのビット情報に含めてＵＥに通知してもよい。例えば、ＰＵＣＣＨリソース数に関する情報（例えば、有効にするリソースと無効にするリソース）についても上位レイヤシグナリングでテーブルに設定してもよい（図９参照）。これにより、ＤＣＩのビット数を増やすことなくＰＵＣＣＨリソース数（又は、ＵＣＩ送信に利用するＰＵＣＣＨのシンボル数）を動的に切り替えることができる。
【００６９】
なお、ＵＣＩ送信に利用するＰＵＣＣＨリソース数を直接ＵＥに通知（又は、テーブルに規定）してもよいし、特定のＰＵＣＣＨリソースを示す情報をＵＥに通知（又は、テーブルに規定）してもよい。ＵＥは、ＰＵＣＣＨリソース数が指定された場合、インデックスが小さいＰＵＣＣＨリソースから順に選択してもよい。例えば、ＰＵＣＣＨリソース数が１の場合、ＵＥは、ＰＵＣＣＨリソース＃０が設定されると想定してＵＣＩの送信を制御する。
【００７０】
このように、所定ＤＣＩ（例えば、１つのＤＣＩ）を利用して複数のリソースセットの組み合わせ候補をＵＥに通知することにより、ＰＵＣＣＨリソース通知に利用するビット数の増大を抑制できる。また、あるＵＬ送信期間（例えば、スロット）のＵＣＩ送信用に設定されるＰＵＣＣＨリソース数を通知することにより、ＰＵＣＣＨリソース数（又は、ＰＵＣＣＨのシンボル数）を柔軟に変更して制御することができる。特に、複数のＰＵＣＣＨリソースの組み合わせ候補が設定されている場合でも、通知されたＰＵＣＣＨリソース数に基づいてＵＣＩの送信を制御することによりＰＵＣＣＨリソースの利用効率を向上できる。
【００７１】
（第３の態様）
第３の態様は、ロングＰＵＣＣＨにおいて、所定ＤＣＩで複数のＰＵＣＣＨリソースをＵＥに通知する。以下の説明では、ロングＰＵＣＣＨとしてＰＵＣＣＨフォーマット１、３及び４の少なくとも一つを想定するが、適用可能なＰＵＣＣＨフォーマットはこれに限られない。
【００７２】
基地局は、複数のＰＵＣＣＨリソースに関する情報をＤＣＩに含めてＵＥに通知する。例えば、基地局は、所定のＰＲＢ及び／又はシンボルでＰＵＣＣＨリソースを指定してＵＥに通知する。図５に示すように、ロングＰＵＣＣＨに周波数ホッピングの適用がサポートされる場合、基地局は周波数ホッピングの前半（１ホップ目）及び／又は後半（２ホップ目）をＰＵＣＣＨリソース（＃０及び／又は＃１）としてＵＥに通知する。
【００７３】
ＵＥは、所定ＤＣＩで複数のＰＵＣＣＨリソース（例えば、周波数ホッピングの前半のＰＵＣＣＨリソース＃０及び／又は後半のＰＵＣＣＨリソース＃１）が通知されると想定する。そして、ＵＥは、受信したＤＣＩのビット情報に基づいて１又は複数のＰＵＣＣＨリソースを選択してＵＣＩの送信を行う。
【００７４】
基地局は、複数のＰＵＣＣＨリソースの組み合わせ候補を予めＵＥに設定してもよい。例えば、基地局は、上位レイヤシグナリングを利用して、ＤＣＩの各ビット情報に対応する複数のＰＵＣＣＨリソースの組み合わせ候補を設定してもよい（図８参照）。
【００７５】
図８は、ＤＣＩで通知される各ビット情報に対して、複数のＰＵＣＣＨリソース候補（ここでは、周波数ホッピングの前半のＰＵＣＣＨリソース＃０、後半のＰＵＣＣＨリソース＃１）がそれぞれ上位レイヤシグナリングで設定されるテーブルの一例を示している。なお、図８は、ＤＣＩが２ビットの場合を示しているが、ＤＣＩのビット数はこれに限られない。また、図８では、最大２種類のＰＵＣＣＨリソース（＃０−＃１）を設定する場合を示しているが、設定可能なＰＵＣＣＨリソース数はこれに限られない。
【００７６】
各ＰＵＣＣＨリソースにおいて、所定のパラメータセットを設定してもよい。例えば、図８では、ＰＵＣＣＨリソース＃０に対して、ＤＣＩの各ビット情報にパラメータセットＡ０−Ａ３がそれぞれ設定される場合を示している。パラメータセットＡ０−Ａ３の一部又は全部は同一であってもよいし、異なっていてもよい。また、いずれかのパラメータセット（例えば、Ａ０）を基準値とし、他のパラメータセットを基準値からのオフセットで規定してもよい。
【００７７】
同様に、ＰＵＣＣＨリソース＃１に対してＤＣＩの各ビット情報にパラメータセットＢ０−Ｂ３がそれぞれ設定される。パラメータセットＢ０−Ｂ３は、パラメータセットＡ０−Ａ３と異なる値（例えば、異なるＰＲＢ、シンボル及びサイクリックシフトの少なくとも一つ）で設定できる。また、パラメータセットＢ０−Ｂ３は、パラメータセットＡ０−Ａ３からのオフセットで規定してもよい。
【００７８】
パラメータセットは、ＰＵＣＣＨフォーマットに関する情報、周波数領域に関する情報（例えば、ＰＲＢインデックス）、時間領域に関する情報（例えば、シンボルインデックス）、及び符号に関する情報の少なくとも一つを含んでいればよい。ＰＵＣＣＨフォーマット毎にテーブルが定義される場合にはパラメータセットにＰＵＣＣＨフォーマットに関する情報は含めない構成としてもよい。
【００７９】
また、同一のテーブルに複数のＰＵＣＣＨフォーマット（例えば、ＰＵＣＣＨフォーマット＃１、＃３、＃４）が設定される場合、パラメータセットにＰＵＣＣＨフォーマットを指定する情報を含めてもよい。また、ＰＵＣＣＨフォーマット毎にパラメータセットに含まれる内容（例えば、パラメータの数及び／又は種別）が異なっていてもよい。これにより、共通テーブルを利用する場合であっても、ＰＵＣＣＨフォーマット毎に必要となる情報を柔軟に規定してＵＥに通知することができる。
【００８０】
また、基地局は、実際に設定されるＰＵＣＣＨリソース数に関する情報をＵＥに設定（又は、通知）してもよい。例えば、基地局は、ＰＵＣＣＨリソース数に関する情報をＤＣＩに含めてＵＥに通知してもよい。テーブルに設定されるＰＵＣＣＨリソース数が２個の場合、いずれのＰＵＣＣＨリソースを有効にするか、あるいは無効にするかについてＤＣＩを利用して通知してもよい。
【００８１】
例えば、１ビットのＤＣＩを利用してＰＵＣＣＨリソースの設定有無をＵＥに通知する。ＵＥは、当該ＤＣＩのビット情報が‘０’の場合にＰＵＣＣＨリソース＃０と＃１が設定されたと想定する。また、ＵＥは、当該ＤＣＩのビット情報が‘１’の場合に一方のＰＵＣＣＨリソース（例えば、ＰＵＣＣＨリソース＃０）が設定され、他方のＰＵＣＣＨリソースが設定されないと想定する。
【００８２】
ＤＣＩを利用して設定するＰＵＣＣＨリソース数を通知することにより、ＵＣＩ送信に利用するＰＵＣＣＨリソース数を動的に切り替えることができる。さらに、ロングＰＵＣＣＨに対して周波数ホッピングがサポートされる場合、ＰＵＣＣＨリソース数（周波数ホッピングの前半と後半の一方又は両方を有効とするか）を通知することにより、周波数ホッピングの適用有無を動的に切り替えることも可能となる。
【００８３】
あるいは、ＰＵＣＣＨリソース数を指定するＤＣＩのビット情報を、複数のＰＵＣＣＨリソースの組み合わせを指定するＤＣＩのビット情報に含めてＵＥに通知してもよい。例えば、ＰＵＣＣＨリソース数（又は、周波数ホッピングの適用有無）に関する情報（例えば、有効にするリソースと無効にするリソース）についても上位レイヤシグナリングでテーブルに設定してもよい（図９参照）。これにより、ＤＣＩのビット数を増やすことなくＰＵＣＣＨリソース数（又は、周波数ホッピングの適用有無）を動的に切り替えることができる。
【００８４】
なお、ＵＣＩ送信に利用するＰＵＣＣＨリソース数を直接ＵＥに通知（又は、テーブルに規定）してもよいし、特定のＰＵＣＣＨリソース（例えば、周波数ホッピングの前半のＰＵＣＣＨリソース及び／又は後半のＰＵＣＣＨリソース）を示す情報をＵＥに通知（又は、テーブルに規定）してもよい。ＵＥは、ＰＵＣＣＨリソース数が指定された場合、インデックスが小さいＰＵＣＣＨリソースから順に選択してもよい。例えば、ＰＵＣＣＨリソース数が１の場合、ＵＥは、周波数ホッピングの前半のＰＵＣＣＨリソース＃０が設定されると想定してＵＣＩの送信を制御する。
【００８５】
このように、所定ＤＣＩ（例えば、１つのＤＣＩ）を利用して複数のリソースセットの組み合わせ候補をＵＥに通知することにより、ＰＵＣＣＨリソース通知に利用するビット数の増大を抑制できる。また、あるＵＬ送信期間（例えば、スロット）のＵＣＩ送信用に設定されるＰＵＣＣＨリソース数を通知することにより、ＰＵＣＣＨリソース数（又は、周波数ホッピングの適用有無）を柔軟に変更して制御することができる。特に、複数のＰＵＣＣＨリソースの組み合わせ候補が設定されている場合でも、通知されたＰＵＣＣＨリソース数に基づいてＵＣＩの送信を制御することによりＰＵＣＣＨリソースの利用効率を向上できる。
【００８６】
（変形例）
なお、第１の態様〜第３の態様で示したＰＵＣＣＨフォーマット０、１、２、３、４の一部又は全部のＰＵＣＣＨリソース候補を共通のテーブルに設定してもよい。例えば、ＰＵＣＣＨフォーマット２とＰＵＣＣＨフォーマット０を同じテーブルに設定する場合、ＰＵＣＣＨフォーマット０に必要となるＰＵＣＣＨリソース数は４個も必要ないことも考えられる。かかる場合、実際に設定されるＰＵＣＣＨリソース数に関する情報をＵＥに通知してＰＵＣＣＨリソース数を制御すればよい。これにより、ＰＵＣＣＨフォーマット毎に必要となるＰＵＣＣＨリソース候補数が異なっていても同じテーブルに適切に設定することが可能となる。
【００８７】
（無線通信システム）
以下、本発明の一実施形態に係る無線通信システムの構成について説明する。この無線通信システムでは、本発明の上記各実施形態に係る無線通信方法のいずれか又はこれらの組み合わせを用いて通信が行われる。
【００８８】
図１０は、本発明の一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【００８９】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）などと呼ばれてもよいし、これらを実現するシステムと呼ばれてもよい。
【００９０】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置は、図に示すものに限られない。
【００９１】
ユーザ端末２０は、無線基地局１１及び無線基地局１２の双方に接続することができる。ユーザ端末２０は、マクロセルＣ１及びスモールセルＣ２を、ＣＡ又はＤＣにより同時に使用することが想定される。また、ユーザ端末２０は、複数のセル（ＣＣ）（例えば、５個以下のＣＣ、６個以上のＣＣ）を用いてＣＡ又はＤＣを適用してもよい。
【００９２】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【００９３】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成とすることができる。
【００９４】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【００９５】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【００９６】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【００９７】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）が適用される。
【００９８】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【００９９】
無線通信システム１では、セル内及び／又はセル間で異なるニューメロロジーが適用される構成としてもよい。なお、ニューメロロジーとは、例えば、ある信号の送受信に適用される通信パラメータ（例えば、サブキャリア間隔、帯域幅など）のことをいう。
【０１００】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨにより、ユーザデータ、上位レイヤ制御情報、ＳＩＢ（System  Information  Block）などが伝送される。また、ＰＢＣＨにより、ＭＩＢ（Master  Information  Block）が伝送される。
【０１０１】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＰＨＩＣＨにより、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１０２】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータ、上位レイヤ制御情報などが伝送される。また、ＰＵＣＣＨにより、下りリンクの無線品質情報（ＣＱＩ：Channel  Quality  Indicator）、送達確認情報などが伝送される。ＰＲＡＣＨにより、セルとの接続確立のためのランダムアクセスプリアンブルが伝送される。
【０１０３】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１０４】
（無線基地局）
図１１は、本発明の一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１０５】
下りリンクにより無線基地局１０からユーザ端末２０に送信されるユーザデータは、上位局装置３０から伝送路インターフェース１０６を介してベースバンド信号処理部１０４に入力される。
【０１０６】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１０７】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。送受信部１０３は、本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１０８】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１０９】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１１０】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１１１】
送受信部１０３は、複数の上り制御チャネルリソースに関する情報を含む所定の下り制御情報を送信する。また、送受信部１０３は、所定の下り制御情報の各ビット情報に対応する複数の上り制御チャネルリソースの組み合わせ候補を上位レイヤシグナリングで送信する（図６−図９参照）。また、送受信部１０３は、上りリンク制御情報（ＵＣＩ）を１以上の上り制御チャネルリソースを用いて受信する。また、送受信部１０３は、ＵＣＩの送信に利用する上り制御チャネルリソース数を指定する情報を送信してもよい（図７、図９参照）。
【０１１２】
図１２は、本発明の一実施形態に係る無線基地局の機能構成の一例を示す図である。なお、本例では、本実施形態における特徴部分の機能ブロックを主に示しており、無線基地局１０は、無線通信に必要な他の機能ブロックも有しているものとする。
【０１１３】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１１４】
制御部（スケジューラ）３０１は、無線基地局１０全体の制御を実施する。制御部３０１は、本発明に係る技術分野での共通認識に基づいて説明されるコントローラ、制御回路又は制御装置から構成することができる。
【０１１５】
制御部３０１は、例えば、送信信号生成部３０２による信号の生成、マッピング部３０３による信号の割り当てなどを制御する。また、制御部３０１は、受信信号処理部３０４による信号の受信処理、測定部３０５による信号の測定などを制御する。
【０１１６】
制御部３０１は、システム情報、下りデータ信号（例えば、ＰＤＳＣＨで送信される信号）、下り制御信号（例えば、ＰＤＣＣＨ、ＥＰＤＣＣＨ、ＮＲ−ＰＤＣＣＨで伝送される信号）のスケジューリング（例えば、リソース割り当て）を制御する。また、制御部３０１は、上りデータ信号に対する再送制御の要否を判定した結果などに基づいて、下り制御信号（例えば、送達確認情報など）、下りデータ信号などの生成を制御する。また、制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１１７】
また、制御部３０１は、上りデータ信号（例えば、ＰＵＳＣＨで送信される信号）、上り制御信号（例えば、ＰＵＣＣＨ及び／又はＰＵＳＣＨで送信される信号）、ＰＲＡＣＨで送信されるランダムアクセスプリアンブル、上り参照信号などのスケジューリングを制御する。
【０１１８】
制御部３０１は、ＵＣＩの送信に利用するＰＵＣＣＨリソースをＵＥに通知するように制御する。
【０１１９】
送信信号生成部３０２は、制御部３０１からの指示に基づいて、下り信号（下り制御信号、下りデータ信号、下り参照信号など）を生成して、マッピング部３０３に出力する。送信信号生成部３０２は、本発明に係る技術分野での共通認識に基づいて説明される信号生成器、信号生成回路又は信号生成装置から構成することができる。
【０１２０】
送信信号生成部３０２は、例えば、制御部３０１からの指示に基づいて、下り信号の割り当て情報を通知するＤＬアサインメント及び上り信号の割り当て情報を通知するＵＬグラントを生成する。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１２１】
マッピング部３０３は、制御部３０１からの指示に基づいて、送信信号生成部３０２で生成された下り信号を、上記した所定の無線リソースにマッピングして、送受信部１０３に出力する。マッピング部３０３は、本発明に係る技術分野での共通認識に基づいて説明されるマッパー、マッピング回路又はマッピング装置から構成することができる。
【０１２２】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本発明に係る技術分野での共通認識に基づいて説明される信号処理器、信号処理回路又は信号処理装置から構成することができる。
【０１２３】
受信信号処理部３０４は、受信処理により復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１２４】
測定部３０５は、受信した信号に関する測定を実施する。測定部３０５は、本発明に係る技術分野での共通認識に基づいて説明される測定器、測定回路又は測定装置から構成することができる。
【０１２５】
測定部３０５は、例えば、受信した信号の受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio））、上り伝搬路情報（例えば、ＣＳＩ）などについて測定してもよい。測定結果は、制御部３０１に出力されてもよい。
【０１２６】
（ユーザ端末）
図１３は、本発明の一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１２７】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本発明に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１２８】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１２９】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１３０】
送受信部２０３は、複数の上り制御チャネルリソースに関する情報を含む所定の下り制御情報を受信する。また、送受信部２０３は、所定の下り制御情報の各ビット情報に対応する複数の上り制御チャネルリソースの組み合わせ候補を上位レイヤシグナリングで受信する（図６−図９参照）。また、送受信部２０３は、上りリンク制御情報（ＵＣＩ）を１以上の上り制御チャネルリソースを用いて送信する。また、送受信部２０３は、ＵＣＩの送信に利用する上り制御チャネルリソース数を指定する情報を受信してもよい（図７、図９参照）。
【０１３１】
図１４は、本発明の一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有しているものとする。
【０１３２】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１３３】
制御部４０１は、ユーザ端末２０全体の制御を実施する。制御部４０１は、本発明に係る技術分野での共通認識に基づいて説明されるコントローラ、制御回路又は制御装置から構成することができる。
【０１３４】
制御部４０１は、例えば、送信信号生成部４０２による信号の生成、マッピング部４０３による信号の割り当てなどを制御する。また、制御部４０１は、受信信号処理部４０４による信号の受信処理、測定部４０５による信号の測定などを制御する。
【０１３５】
制御部４０１は、複数の上り制御チャネルリソースに関する情報を含む所定の下り制御情報に基づいてＵＣＩの送信を制御する。また、制御部４０１は、所定の下り制御情報に含まれるＵＣＩの送信に利用する上り制御チャネルリソース数に基づいてＵＣＩの送信に利用する上り制御チャネルリソース数を決定してもよい。
【０１３６】
制御部４０１は、所定の下り制御情報の各ビット情報に対応する複数の上り制御チャネルリソースの組み合わせ候補が規定されたテーブルと、基地局から通知される所定ＤＣＩに基づいてＵＣＩ送信に利用するＰＵＣＣＨリソースを選択してもよい。なお、テーブルに規定される第１の上り制御チャネルフォーマットと第２の上り制御チャネルフォーマットにおいて、上位レイヤシグナリングで設定される上り制御チャネルリソース数がそれぞれ異なってもよい。
【０１３７】
また、制御部４０１は、所定の下り制御情報で指定される上り制御チャネルリソース数に基づいて周波数ホッピングの適用有無及び／又は設定される上り制御チャネルのシンボル数を判断してもよい。
【０１３８】
送信信号生成部４０２は、制御部４０１からの指示に基づいて、上り信号（上り制御信号、上りデータ信号、上り参照信号など）を生成して、マッピング部４０３に出力する。送信信号生成部４０２は、本発明に係る技術分野での共通認識に基づいて説明される信号生成器、信号生成回路又は信号生成装置から構成することができる。
【０１３９】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１４０】
マッピング部４０３は、制御部４０１からの指示に基づいて、送信信号生成部４０２で生成された上り信号を無線リソースにマッピングして、送受信部２０３へ出力する。マッピング部４０３は、本発明に係る技術分野での共通認識に基づいて説明されるマッパー、マッピング回路又はマッピング装置から構成することができる。
【０１４１】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１４２】
受信信号処理部４０４は、受信処理により復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１４３】
測定部４０５は、受信した信号に関する測定を実施する。例えば、測定部４０５は、無線基地局１０から送信された下り参照信号を用いて測定を実施する。測定部４０５は、本発明に係る技術分野での共通認識に基づいて説明される測定器、測定回路又は測定装置から構成することができる。
【０１４４】
測定部４０５は、例えば、受信した信号の受信電力（例えば、ＲＳＲＰ）、受信品質（例えば、ＲＳＲＱ、受信ＳＩＮＲ）、下り伝搬路情報（例えば、ＣＳＩ）などについて測定してもよい。測定結果は、制御部４０１に出力されてもよい。
【０１４５】
（ハードウェア構成）
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【０１４６】
例えば、本発明の一実施形態における無線基地局、ユーザ端末などは、本発明の無線通信方法の処理を行うコンピュータとして機能してもよい。図１５は、本発明の一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１４７】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１４８】
例えば、プロセッサ１００１は１つだけ図示されているが、複数のプロセッサがあってもよい。また、処理は、１のプロセッサで実行されてもよいし、処理が同時に、逐次に、又はその他の手法で、１以上のプロセッサで実行されてもよい。なお、プロセッサ１００１は、１以上のチップで実装されてもよい。
【０１４９】
無線基地局１０及びユーザ端末２０における各機能は、例えば、プロセッサ１００１、メモリ１００２などのハードウェア上に所定のソフトウェア（プログラム）を読み込ませることで、プロセッサ１００１が演算を行い、通信装置１００４による通信を制御したり、メモリ１００２及びストレージ１００３におけるデータの読み出し及び／又は書き込みを制御したりすることで実現される。
【０１５０】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、上述のベースバンド信号処理部１０４（２０４）、呼処理部１０５などは、プロセッサ１００１で実現されてもよい。
【０１５１】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態で説明した動作の少なくとも一部をコンピュータに実行させるプログラムが用いられる。例えば、ユーザ端末２０の制御部４０１は、メモリ１００２に格納され、プロセッサ１００１で動作する制御プログラムによって実現されてもよく、他の機能ブロックについても同様に実現されてもよい。
【０１５２】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つで構成されてもよい。メモリ１００２は、レジスタ、キャッシュ、メインメモリ（主記憶装置）などと呼ばれてもよい。メモリ１００２は、本発明の一実施形態に係る無線通信方法を実施するために実行可能なプログラム（プログラムコード）、ソフトウェアモジュールなどを保存することができる。
【０１５３】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つで構成されてもよい。ストレージ１００３は、補助記憶装置と呼ばれてもよい。
【０１５４】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４で実現されてもよい。
【０１５５】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１５６】
また、プロセッサ１００１、メモリ１００２などの各装置は、情報を通信するためのバス１００７で接続される。バス１００７は、単一のバスで構成されてもよいし、装置間で異なるバスで構成されてもよい。
【０１５７】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１５８】
（変形例）
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１５９】
また、無線フレームは、時間領域において１つ又は複数の期間（フレーム）で構成されてもよい。無線フレームを構成する当該１つ又は複数の各期間（フレーム）は、サブフレームと呼ばれてもよい。さらに、サブフレームは、時間領域において１つ又は複数のスロットで構成されてもよい。サブフレームは、ニューメロロジーに依存しない固定の時間長（例えば、１ｍｓ）であってもよい。
【０１６０】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）で構成されてもよい。また、スロットは、ニューメロロジーに基づく時間単位であってもよい。また、スロットは、複数のミニスロットを含んでもよい。各ミニスロットは、時間領域において１つ又は複数のシンボルで構成されてもよい。また、ミニスロットは、サブスロットと呼ばれてもよい。
【０１６１】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１６２】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１６３】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０１６４】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１６５】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０１６６】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１６７】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックで構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１６８】
また、リソースブロックは、１つ又は複数のリソースエレメント（ＲＥ：Resource  Element）で構成されてもよい。例えば、１ＲＥは、１サブキャリア及び１シンボルの無線リソース領域であってもよい。
【０１６９】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１７０】
また、本明細書で説明した情報、パラメータなどは、絶対値で表されてもよいし、所定の値からの相対値で表されてもよいし、対応する別の情報で表されてもよい。例えば、無線リソースは、所定のインデックスで指示されるものであってもよい。さらに、これらのパラメータを使用する数式などは、本明細書で明示的に開示したものと異なってもよい。
【０１７１】
本明細書においてパラメータなどに使用する名称は、いかなる点においても限定的なものではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的なものではない。
【０１７２】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１７３】
また、情報、信号などは、上位レイヤから下位レイヤ、及び／又は下位レイヤから上位レイヤへ出力され得る。情報、信号などは、複数のネットワークノードを介して入出力されてもよい。
【０１７４】
入出力された情報、信号などは、特定の場所（例えば、メモリ）に保存されてもよいし、管理テーブルで管理してもよい。入出力される情報、信号などは、上書き、更新又は追記をされ得る。出力された情報、信号などは、削除されてもよい。入力された情報、信号などは、他の装置へ送信されてもよい。
【０１７５】
情報の通知は、本明細書で説明した態様／実施形態に限られず、他の方法で行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１７６】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））で通知されてもよい。
【０１７７】
また、所定の情報の通知（例えば、「Ｘであること」の通知）は、明示的に行うものに限られず、暗示的に（例えば、当該所定の情報の通知を行わないことによって又は別の情報の通知によって）行われてもよい。
【０１７８】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１７９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１８０】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０１８１】
本明細書で使用する「システム」及び「ネットワーク」という用語は、互換的に使用される。
【０１８２】
本明細書では、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０１８３】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head）によって通信サービスを提供することもできる。「セル」又は「セクタ」という用語は、このカバレッジにおいて通信サービスを行う基地局及び／又は基地局サブシステムのカバレッジエリアの一部又は全体を指す。
【０１８４】
本明細書では、「移動局（ＭＳ：Mobile  Station）」、「ユーザ端末（user  terminal）」、「ユーザ装置（ＵＥ：User  Equipment）」及び「端末」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０１８５】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０１８６】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０１８７】
同様に、本明細書におけるユーザ端末は、無線基地局で読み替えてもよい。この場合、上述のユーザ端末２０が有する機能を無線基地局１０が有する構成としてもよい。
【０１８８】
本明細書において、基地局によって行われるとした特定動作は、場合によってはその上位ノード（upper  node）によって行われることもある。基地局を有する１つ又は複数のネットワークノード（network  nodes）から成るネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０１８９】
本明細書で説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１９０】
本明細書で説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０１９１】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１９２】
本明細書で使用する「第１の」、「第２の」などの呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２の要素の参照は、２つの要素のみが採用され得ること又は何らかの形で第１の要素が第２の要素に先行しなければならないことを意味しない。
【０１９３】
本明細書で使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０１９４】
本明細書で使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」と読み替えられてもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び／又は光（可視及び不可視の両方）領域の波長を有する電磁エネルギーなどを使用することにより、互いに「接続」又は「結合」されると考えることができる。
【０１９５】
本明細書又は請求の範囲で「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０１９６】
以上、本発明について詳細に説明したが、当業者にとっては、本発明が本明細書中に説明した実施形態に限定されるものではないということは明らかである。本発明は、請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【図１】
2019069464.tif 000003
【図２】
2019069464.tif 000004
【図３】
2019069464.tif 000005
【図４】
2019069464.tif 000006
【図５】
2019069464.tif 000007
【図６】
2019069464.tif 000008
【図７】
2019069464.tif 000009
【図８】
2019069464.tif 000010
【図９】
2019069464.tif 000011
【図１０】
2019069464.tif 000012
【図１１】
2019069464.tif 000013
【図１２】
2019069464.tif 000014
【図１３】
2019069464.tif 000015
【図１４】
2019069464.tif 000016
【図１５】
2019069464.tif 000017
【手続補正書】
【提出日】令和2年10月5日(2020.10.5)
【手続補正１】
【補正対象書類名】特許請求の範囲
【補正対象項目名】全文
【補正方法】変更
【補正の内容】
【特許請求の範囲】
【請求項１】
上り制御チャネル（ＰＵＣＣＨ）リソースに対する設定情報に基づいて上りリンク制御情報（ＵＣＩ）の送信を制御する制御部と、
前記上りリンク制御情報を前記上り制御チャネルリソースを用いて送信する送信部と、を有し、
前記設定情報は、ＰＵＣＣＨフォーマットに関する情報と、周波数領域に関する情報、時間領域に関する情報、及び符号に関する情報の少なくとも１つと、を有する、ことを特徴とする端末。
【請求項２】
前記上り制御チャネルリソースに対する前記設定情報は、ＰＵＣＣＨフォーマットに応じて異なることを特徴とする請求項１に記載の端末。
【請求項３】
上り制御チャネル（ＰＵＣＣＨ）リソースに対する設定情報に基づいて上りリンク制御情報（ＵＣＩ）の送信を制御するステップと、
前記上りリンク制御情報を前記上り制御チャネルリソースを用いて送信するステップと、を有し、
前記設定情報は、ＰＵＣＣＨフォーマットに関する情報と、周波数領域に関する情報、時間領域に関する情報、及び符号に関する情報の少なくとも１つと、を有する、ことを特徴とする無線通信方法。
【請求項４】
上り制御チャネル（ＰＵＣＣＨ）リソースに対する設定情報を端末に提供する制御部と、
端末が前記設定情報に基づいて前記上り制御チャネルリソースを用いて送信する前記上りリンク制御情報を受信する受信部と、有し、
前記設定情報は、ＰＵＣＣＨフォーマットに関する情報と、周波数領域に関する情報、時間領域に関する情報、及び符号に関する情報の少なくとも１つと、を有する、ことを特徴とする基地局。
【手続補正３】
【補正対象書類名】明細書
【補正対象項目名】００１０
【補正方法】変更
【補正の内容】
【００１０】
本発明はかかる点に鑑みてなされたものであり、１以上の上り制御チャネルリソースを利用したＵＣＩの送信を適切に制御可能な端末、無線通信方法及び基地局を提供することを目的の一つとする。
【手続補正４】
【補正対象書類名】明細書
【補正対象項目名】００１１
【補正方法】変更
【補正の内容】
【００１１】
本発明の端末の一態様は、上り制御チャネル（ＰＵＣＣＨ）リソースに対する設定情報に基づいて上りリンク制御情報（ＵＣＩ）の送信を制御する制御部と、前記上りリンク制御情報を前記上り制御チャネルリソースを用いて送信する送信部と、を有し、前記設定情報は、ＰＵＣＣＨフォーマットに関する情報と、周波数領域に関する情報、時間領域に関する情報、及び符号に関する情報の少なくとも１つと、を有することを特徴とする。
【国際調査報告】
2019069464.tif 000018
2019069464.tif 000019
2019069464.tif 000020
2019069464.tif 000021